(57)【要約】【課題】簡易な構造によって電気ユニットが炭酸泉に接触することを抑止できる炭酸泉供給装置を提供する。【解決手段】炭酸泉供給装置Ｘ１は、水に炭酸ガスを溶解させることにより炭酸泉を生成する生成部２、水の供給源と生成部２とを繋ぐ水回路３、および炭酸ガスの供給源と生成部２とを繋ぐとともに供給停止状態と供給開始状態との間で切替可能なガス回路４を有する流路ユニット１００と、流路ユニット１００を収容する収容室３１０、収容室３１０を上方に開放する開口３２０、および開口３２０を取り囲む周縁部３３０を有する収容器３００と、開口３２０の全体を覆うように周縁部３３０上に載せられた仕切板４００と、仕切板４００上に配置されており供給停止状態と供給開始状態との間でガス回路４を切り替えるために当該ガス回路４を制御する電気ユニット２００と、を備える。【選択図】図８
2016028660.tif 000002
【特許請求の範囲】
【請求項１】
水に炭酸ガスを溶解させることにより炭酸泉を生成する生成部、前記水の供給源と前記生成部とを繋ぐ水回路、および前記炭酸ガスの供給源と前記生成部とを繋ぐとともに前記生成部に対する前記炭酸ガスの供給が停止される供給停止状態と前記生成部に対する前記炭酸ガスの供給が開始される供給開始状態との間で切替可能なガス回路を有する流路ユニットと、
前記流路ユニットを収容する収容室、前記収容室を上方に開放する開口、および前記開口を取り囲む周縁部を有する収容器と、
前記開口の全体を覆うように前記周縁部上に載せられた仕切板と、
前記仕切板上に配置されており、前記供給停止状態と前記供給開始状態との間で前記ガス回路を切り替えるために当該ガス回路を制御する電気ユニットと、を備える炭酸泉供給装置。
【請求項２】
前記電気ユニットを上方から覆うように前記仕切板上に載せられたカバー部材をさらに備える、請求項１に記載の炭酸泉供給装置。
【請求項３】
前記カバー部材は、前記仕切板を挟んで前記周縁部に対向する対向部を有しており、
前記周縁部および前記対向部の少なくとも一方に対して、前記周縁部と前記対向部とが互いに近づく方向に力を加えることにより、前記周縁部、前記仕切版、および前記対向部を互いに固定する固定部材をさらに備える、請求項２に記載の炭酸泉供給装置。
【請求項４】
前記仕切板の全体は、平面視において前記周縁部の外縁および前記対向部の外縁よりも内側に収まっている、請求項３に記載の炭酸泉供給装置。
【請求項５】
前記収容器は、前記収容室を取り囲む側壁を有しており、
前記側壁は、少なくとも１つの貫通穴を有しており、
前記水回路および前記ガス回路は、前記少なくとも１つの貫通穴を通じて、前記収容室内から前記収容室外に亘って設けられている、請求項１〜４のいずれか一項に記載の炭酸泉供給装置。
【発明の詳細な説明】
【技術分野】
【０００１】
本発明は、炭酸泉供給装置に関する。
【背景技術】
【０００２】
従来、温水と当該温水に溶解した炭酸ガスとを含む炭酸泉が知られている。このような炭酸泉は、例えば浴場にて利用され、当該炭酸泉に入浴する入浴者に対して血管拡張による閉塞性動脈硬化の治療あるいは冷え症の改善等の種々の効果を発揮する。
【０００３】
炭酸泉の製造装置の一例として、特許文献１には、炭酸泉用ガス溶解液製造装置が記載されている。この炭酸泉用ガス溶解液製造装置は、炭酸泉を生成する炭酸ガス溶解器と、炭酸ガス溶解器に炭酸ガスを供給する炭酸ガス導入口と、炭酸ガス導入口に設けられた流量制御バルブと、炭酸ガス溶解器に水を供給する水導入口と、炭酸ガス溶解器から炭酸泉が流出する炭酸泉排出口と、を備えている。炭酸ガス溶解器は、炭酸ガス導入口に繋がる入口と、水導入口に繋がる入口と、炭酸泉排出口に繋がる出口と、を有している。特許文献１の炭酸泉用ガス溶解液製造装置では、流量制御バルブによって炭酸ガス導入口から炭酸ガス溶解器の入口への炭酸ガスの流量を調整し、当該炭酸ガス導入口から炭酸ガス溶解器に流入した炭酸ガスを水導入口から炭酸ガス溶解器に流入した水に溶解することにより、所定の炭酸ガス含有率を有する炭酸泉を生成する。
【先行技術文献】
【特許文献】
【０００４】
【特許文献１】特開２００９−２８５６５１号公報
【発明の概要】
【発明が解決しようとする課題】
【０００５】
特許文献１の炭酸泉用ガス溶解液製造装置によって炭酸泉を製造する場合、例えば流量制御バルブを制御するための制御部および当該制御部に電力を供給する電源等によって構成される電気ユニットが必要になる。この電気ユニットと特許文献１の炭酸泉用ガス溶解液製造装置とは、例えば同一の収容器内に収容されることにより一体化される。
【０００６】
しかしながら、上記のとおり電気ユニットと特許文献１の炭酸泉用ガス溶解液製造装置とが同一の収容器内に収容された場合、当該炭酸泉用ガス溶解液製造装置に不具合が生じることにより炭酸泉が収容器内に漏れ出し、当該炭酸泉に接触した電気ユニットが故障する可能性がある。このような問題を回避するためには、例えば、収容室内において防水壁に取り囲まれた隔離室を設け、当該隔離室内に電気ユニットを配置することが考えられるが、構造が複雑化する上、炭酸泉が収容器内に漏れ出すことにより当該収容器内の圧力が高くなると、当該炭酸泉が防水壁を突破して隔離室内に浸入する可能性がある。
【０００７】
本発明は、上記の観点からなされたものであり、その目的は、簡易な構造によって電気ユニットが炭酸泉に接触することを抑止できる炭酸泉供給装置を提供することにある。
【課題を解決するための手段】
【０００８】
本発明に係る炭酸泉供給装置は、水に炭酸ガスを溶解させることにより炭酸泉を生成する生成部、前記水の供給源と前記生成部とを繋ぐ水回路、および前記炭酸ガスの供給源と前記生成部とを繋ぐとともに前記生成部に対する前記炭酸ガスの供給が停止される供給停止状態と前記生成部に対する前記炭酸ガスの供給が開始される供給開始状態との間で切替可能なガス回路を有する流路ユニットと、前記流路ユニットを収容する収容室、前記収容室を上方に開放する開口、および前記開口を取り囲む周縁部を有する収容器と、前記開口の全体を覆うように前記周縁部上に載せられた仕切板と、前記仕切板上に配置されており、前記供給停止状態と前記供給開始状態との間で前記ガス回路を切り替えるために当該ガス回路を制御する電気ユニットと、を備える。
【０００９】
上記の炭酸泉製造装置では、仕切板上に電気ユニットが配置された簡易な構造によって、電気ユニットが炭酸泉に接触することを抑止できる。具体的に、上記の炭酸泉製造装置では、流路ユニットを収容した収容器における周縁部上に仕切板が載せられており、当該仕切板が収容室を上方に開放する開口の全体を覆っている。そして、仕切板上に電気ユニットが配置されることにより、流路ユニットと電気ユニットとが当該仕切板によって仕切られている。ここで、例えば流路ユニットにおける生成部に破損が生じ、収容器内において生成部の外部へ炭酸泉が漏れ出した場合、当該炭酸泉は、仕切板の平面方向に沿って仕切板と収容器の周縁部との間から当該収容器の外部へと漏れ出すことになる。このため、収容器内において生成部の外部へ炭酸泉が漏れ出したとしても、当該炭酸泉が仕切板上に達することを抑止できる。そのため、上記の炭酸泉製造装置では、仕切板上に電気ユニットを載せた簡易な構造によって、当該電気ユニットに炭酸泉が接触することを抑止できる。
【００１０】
本発明に係る炭酸泉供給装置は、前記電気ユニットを上方から覆うように前記仕切板上に載せられたカバー部材をさらに備えることが好ましい。
【００１１】
上記の炭酸泉製造装置では、電気ユニットをカバー部材にて覆うことにより、例えば炭酸泉製造装置の外部において発生した雨水等の水分が電気ユニットに接触することを抑止できる。
【００１２】
本発明に係る炭酸泉供給装置では、前記カバー部材は、前記仕切板を挟んで前記周縁部に対向する対向部を有しており、前記周縁部および前記対向部の少なくとも一方に対して、前記周縁部と前記対向部とが互いに近づく方向に力を加えることにより、前記周縁部、前記仕切版、および前記対向部を互いに固定する固定部材をさらに備えることが好ましい。
【００１３】
上記の炭酸泉製造装置では、収容器の周縁部とカバー部材の対向部とが仕切板を挟んで互いに近づく方向に力を加えられた状態で周縁部、仕切板、および対向部が固定されるため、周縁部と仕切板との間から収容室内へと水分が浸入することを抑止できるとともに、対向部と仕切板との間からカバー部材内へと水分が浸入することを抑止できる。
【００１４】
本発明に係る炭酸泉供給装置では、前記仕切板の全体は、平面視において前記周縁部の外縁および前記対向部の外縁よりも内側に収まっていることが好ましい。
【００１５】
上記の炭酸泉製造装置では、例えば炭酸泉製造装置を持ち運ぶ際に、仕切板の外縁によって運搬者の手が傷付くことを抑止できる。また、炭酸泉製造装置の使用者から仕切板の外縁が視認されることを抑止でき、これにより意匠性の低下を防止できる。
【００１６】
本発明に係る炭酸泉供給装置では、前記収容器は、前記収容室を取り囲む側壁を有しており、前記側壁は、少なくとも１つの貫通穴を有しており、前記水回路および前記ガス回路は、前記少なくとも１つの貫通穴を通じて、前記収容室内から前記収容室外に亘って設けられていることが好ましい。
【００１７】
上記の炭酸泉供給装置では、側壁の貫通穴を通じて収容室外に位置する水回路の一部から当該水回路に対して水を供給することができるとともに、側壁の貫通穴を通じて収容室外に位置するガス回路の一部から当該ガス回路に対して炭酸ガスを供給することができるため、水および炭酸ガスが仕切板上の領域を通過する必要がない。このため、仕切板上に配置された電気ユニットに水あるいは炭酸泉が接触することを抑止できる。
【００１８】
なお、水回路およびガス回路は、単一の貫通穴を通じて、収容室内から収容室外に亘って設けられていてもよいし、２つの貫通穴のそれぞれを通じて、収容室内から収容室外に亘って設けられていてもよい。
【発明の効果】
【００１９】
本発明によれば、簡易な構造によって電気ユニットが炭酸泉に接触することを抑止できる炭酸泉供給装置が提供される。
【図面の簡単な説明】
【００２０】
【図１】本実施形態に係る炭酸泉供給装置における流路ユニットと電気ユニットとの関係を示した概略図である。
【図２】本実施形態に係る炭酸泉供給装置の外観を示す概略斜視図である。
【図３】本実施形態に係る炭酸泉供給装置の外観を示す概略斜視図であって、収容器とカバー部材とを分離した図である。
【図４】本実施形態に係る炭酸泉供給装置を幅方向の一方側から見た概略側面図である。
【図５】本実施形態に係る炭酸泉供給装置を幅方向の他方側から見た概略側面図である。
【図６】本実施形態に係る炭酸泉供給装置のうち流路ユニット、電気ユニット、仕切板、およびパッキンを示す概略斜視図である。
【図７】本実施形態に係る炭酸泉供給装置を幅方向の他方側から透視した概略側面図である。
【図８】図７に１点鎖線で示す領域Ｅ１の拡大断面図である。
【発明を実施するための形態】
【００２１】
以下、本発明の一実施形態について、図面を参照しながら説明する。但し、以下で参照する各図は、説明の便宜上、本発明の一実施形態の構成部材のうち、本実施形態を説明するために必要な主要部材を簡略化して示したものである。したがって、本発明に係る炭酸泉供給装置は、本明細書が参照する各図に示されていない任意の構成部材を備え得る。
【００２２】
図１には、本実施形態に係る炭酸泉供給装置Ｘ１の概略回路図を示す。炭酸泉供給装置Ｘ１は、水と炭酸ガスとを混合することにより炭酸泉を生成し、当該炭酸泉を貯留容器Ｙ１に供給する装置である。炭酸泉供給装置Ｘ１は、流路ユニット１００と、電気ユニット２００と、を備えている。
【００２３】
流路ユニット１００は、炭酸泉供給装置Ｘ１において水、炭酸ガス、または炭酸泉の流路を構成する。流路ユニット１００は、炭酸泉を生成する生成部２と、生成部２に水を供給する水回路３と、生成部２に炭酸ガスを供給するガス回路４と、生成部２において生成した炭酸泉を貯留容器Ｙ１に供給する炭酸泉回路５と、を有している。
【００２４】
生成部２は、例えばハウジングと当該ハウジングの内部に設けられた中空糸膜とによって構成される。生成部２は、水回路３に繋がる水入口と、ガス回路４に繋がるガス入口と、炭酸泉回路５に繋がる炭酸泉出口とを有している。そして、ガス入口から生成部２に流入した炭酸ガスが水入口から生成部２に流入した水に溶解することにより炭酸泉が生成され、当該炭酸泉が炭酸泉出口から炭酸泉回路５へ流出する。
【００２５】
水回路３は、水配管３１と、当該水配管３１に設けられた第１開閉弁３２および第１圧力スイッチ３３と、を有している。
【００２６】
水配管３１は、炭酸泉供給装置Ｘ１の外部に位置する水の供給源と、生成部２の水入口と、を繋ぐ配管である。前記水の供給源としては、例えば給湯器が挙げられる。給湯器において所定の温度に温められた水は、水配管３１を通じて生成部２に流入する。
【００２７】
第１開閉弁３２は、水配管３１を開閉する弁であって、例えば電磁弁が採用される。水回路３は、第１開閉弁３２が閉じられることにより、水配管３１から生成部２への水の供給が停止される供給停止状態となる。また、水回路３は、第１開閉弁３２が開かれることにより、水配管３１から生成部２への水の供給が開始される供給開始状態となる。なお、本実施形態では、第１開閉弁３２は、水回路３を供給停止状態と供給開始状態との間で切り替える機能のみを有しているが、これに限らず、前記供給開始状態において水配管３１から生成部２への水の供給量を調整する機能を有していてもよい。また、第１開閉弁３２は省略されてもよく、例えば水の供給源から生成部２に対して常に水が供給されていてもよい。
【００２８】
第１圧力スイッチ３３は、第１開閉弁３２の下流側に設けられている。第１圧力スイッチ３３は、水配管３１のうち第１開閉弁３２よりも下流側の部位を流れる水が所定の圧力に達した場合に、電気ユニット２００へ信号を送出する。これにより、電気ユニット２００は、例えば第１開閉弁３２が正常に開閉されているか否かを判定することができる。なお、第１圧力スイッチ３３は省略することもできる。
【００２９】
ガス回路４は、ガス配管４１と、当該ガス配管４１に設けられ第２開閉弁４２および第２圧力スイッチ４３と、を有している。
【００３０】
ガス配管４１は、炭酸泉供給装置Ｘ１の外部に位置する炭酸ガスの供給源と、生成部２のガス入口と、を繋ぐ配管である。前記炭酸ガスの供給源としては、例えば炭酸ガスタンクが挙げられる。炭酸ガスタンクから供給される炭酸ガスは、ガス配管４１を通じて生成部２に流入する。
【００３１】
第２開閉弁４２は、ガス配管４１を開閉する弁であって、例えば電磁弁が採用される。ガス回路４は、第２開閉弁４２が閉じられることにより、ガス配管４１から生成部２への炭酸ガスの供給が停止される供給停止状態となる。また、ガス回路４は、第２開閉弁４２が開かれることにより、ガス配管４１から生成部２への炭酸ガスの供給が開始される供給開始状態となる。なお、本実施形態では、第２開閉弁４２は、ガス回路４を供給停止状態と供給開始状態との間で切り替える機能のみを有しているが、これに限らず、前記供給開始状態においてガス配管４１から生成部２への炭酸ガスの供給量を調整する機能を有していてもよい。
【００３２】
第２圧力スイッチ４３は、第２開閉弁４２の下流側に設けられている。第２圧力スイッチ４３は、ガス配管４１のうち第２開閉弁４２よりも下流側の部位を流れる炭酸ガスが所定の圧力に達した場合に、電気ユニット２００へ信号を送出する。これにより、電気ユニット２００は、例えば第２開閉弁４２が正常に開閉されているか否かを判定することができる。なお、第２圧力スイッチ４３は省略することもできる。
【００３３】
炭酸泉回路５は、炭酸泉配管５１と、当該炭酸泉配管５１に設けられた温度センサ５２と、を有している。
【００３４】
炭酸泉配管５１は、生成部２の炭酸泉出口に接続されるとともに、当該生成部２から流出した炭酸泉を貯留容器Ｙ１に供給する配管である。
【００３５】
温度センサ５２は、炭酸泉配管５１を流れる炭酸泉の温度を検知するセンサである。温度センサ５２において検知された温度情報を受けた電気ユニット２００は、例えば貯留容器Ｙ１に供給される炭酸泉が所定の温度の達しているか否かを判定することができる。なお、温度センサ５２は、例えば、水配管３１のうち第１開閉弁３２よりも下流側の部位、あるいは生成部２に設けられてもよい。また、温度センサ５２は省略することもできる。
【００３６】
電気ユニット２００は、制御基板６、電源７、操作板８、および報知ブザー９を有している。
【００３７】
制御基板６は、第１開閉弁３２および第２開閉弁４２の開閉制御を行うとともに、報知ブザー９の駆動制御を行う。
【００３８】
電源７は、制御基板６、操作板８、および報知ブザー９に対して電力を供給する。
【００３９】
操作板８は、貯留容器Ｙ１に対する炭酸泉の供給が停止される供給停止状態と貯留容器Ｙ１に対する炭酸泉の供給が開始される供給開始状態との間で炭酸泉供給装置Ｘ１を切り替える切替スイッチ、および貯留容器Ｙ１に供給される炭酸泉の温度を設定する温度スイッチ等を有している。
【００４０】
報知ブザー９は、使用者に対して音による報知を行う。
【００４１】
操作板８において使用者が切替スイッチを操作すると、当該切替スイッチから信号を受けた制御基板６は、水回路３における第１開閉弁３２を開くとともにガス回路４における第２開閉弁４２を開く制御を行う。これにより、水回路３が供給停止状態から供給開始状態に切り替わるとともに、ガス回路４が供給停止状態から供給開始状態に切り替わる。そして、水と炭酸ガスとが生成部２において混合されることにより炭酸泉となり、当該炭酸泉が炭酸泉配管５１を通じて貯留容器Ｙ１に供給される。ここで、炭酸泉回路５における温度センサ５２は、炭酸泉配管５１を通過する炭酸泉の温度値を検知し、当該温度値を制御基板６に送出する。前記温度値を受けた制御基板６は、当該温度値が使用者によって予め設定された温度に達した場合に、報知ブザー９を駆動制御する。これにより、報知ブザー９は、貯留容器Ｙ１に供給される炭酸泉が設定温度の達したことを知らせる報知を行う。
【００４２】
なお、本実施形態では、電気ユニット２００は、制御基板６、電源７、操作板８、および報知ブザー９を有しており、操作板８における操作に応じて制御基板６が第１開閉弁３２および第２開閉弁４２の開閉制御と報知ブザー９の駆動制御とを行うが、これに限らない。電気ユニット２００は、ガス回路４を供給停止状態と供給開始状態との間で切り替えるためにガス回路４を制御するものであればよく、当該制御に必要な電気部品のみによって構成されていてもよい。
【００４３】
次に、図２〜図８を参照しつつ、炭酸泉供給装置Ｘ１の詳細な構造について説明する。
【００４４】
まず、図２〜図５に示すように、炭酸泉供給装置Ｘ１は、流路ユニット１００と、電気ユニット２００と、に加えて、収容器３００と、仕切板４００と、カバー部材５００と、を備えている。
【００４５】
収容器３００は、流路ユニット１００を収容する収容室３１０と、当該収容室３１０を上方に開放する開口３２０と、開口３２０を取り囲む周縁部３３０と、を有している。本実施形態では、収容器３００は、略矩形状の底板３００ａと、当該底板３００ａの周縁から上方に延びる側壁３００ｂと、を有している。そして、底板３００ａおよび側壁３００ｂによって取り囲まれる空間が収容室３１０となり、側壁３００ｂのうち高さ方向における上方の面が周縁部３３０となる。なお、収容室３１０の大きさあるいは形状等は、当該収容室３１０に収容される流路ユニット１００の大きさあるいは形状等に応じて適宜変更可能である。
【００４６】
流路ユニット１００における水回路３の水配管３１は、底板３００ａの長辺方向における一方側の側壁３００ｂに設けられた第１貫通穴３００ｃを通じて、収容室３１０内から収容室３１０外に亘って設けられている。水配管３１のうち収容室３１０内に位置する部位は、図６に示すように、底板３００ａの長辺方向に沿って延びている。水配管３１のうち収容室３１０外に位置する部位は、当該水配管３１の一端部３１ａである。一端部３１ａは、水の供給源との接続部となる。水の供給源から一端部３１ａに供給される水は、水配管３１の内部を底板３００ａの長辺方向の一方側から他方側へ流れる。また、水回路３の第１開閉弁３２および第１圧力スイッチ３３は、収容室３１０内において底板３００ａの長辺方向に延びる水配管３１の中間部分にそれぞれ設けられている。
【００４７】
流路ユニット１００におけるガス回路４のガス配管４１は、底板３００ａの長辺方向における一方側の側壁３００ｂに設けられた第２貫通穴３００ｄを通じて、収容室３１０内から収容室３１０外に亘って設けられている。ガス配管４１のうち収容室３１０内に位置する部位は、図６に示すように、底板３００ａの長辺方向に沿って延びており、底板３００ａの短辺方向において水配管３１と対向するように配置されている。ガス配管４１のうち収容室３１０外に位置する部位は、当該ガス配管４１の一端部４１ａである。一端部４１ａは、炭酸ガスの供給源との接続部となる。炭酸ガスの供給源から一端部４１ａに供給される炭酸ガスは、ガス配管４１の内部を底板３００ａの長辺方向の一方側から他方側へ流れる。また、ガス回路４の第２開閉弁４２および第２圧力スイッチ４３は、収容室３１０内において底板３００ａの長辺方向に延びるガス配管４１の中間部分にそれぞれ設けられている。
【００４８】
流路ユニット１００における生成部２は、図６に示すように、底板３００ａの長辺方向に沿って延びるように収容室３１０に収容されている。生成部２は、底板３００ａの短辺方向において水配管３１とガス配管４１との間に配置されている。水配管３１およびガス配管４１は、床板の長辺方向の他方側において生成部２に接続されている。そして、生成部２に流入した水と炭酸ガスとは、生成部２内を床板の長辺方向の他方側から一方側へ流れるに際して混合され、炭酸泉となる。
【００４９】
流路ユニット１００における炭酸泉回路５の炭酸泉配管５１は、底板３００ａの長辺方向における他方側の側壁３００ｂに設けられた第３貫通穴３００ｅを通じて、収容室３１０内から収容室３１０外に亘って設けられている。炭酸泉配管５１のうち収容室３１０内に位置する部位は、図６に示すように、生成部２の上方において底板３００ａの長辺方向に沿って延びており、当該長辺方向の一方側において生成部２に接続されている。また、炭酸泉配管５１のうち収容室３１０外に位置する部位は、当該炭酸泉配管５１の一端部５１ａである。一端部５１ａは、例えば貯留容器Ｙ１に対する中継用の配管に接続される部位となる。生成部２から流出する炭酸泉は、炭酸泉配管５１の内部を底板３００ａの長辺方向の一方側から他方側へ流れ、一端部５１ａから貯留容器Ｙ１へと排出される。また、炭酸泉回路５の温度センサ５２は、収容室３１０内において底板３００ａの長辺方向に延びる炭酸泉配管５１の中間部分に設けられている。
【００５０】
仕切板４００は、流路ユニット１００と電気ユニット２００とを仕切る板状の部材である。仕切板４００は、収容器３００の収容室３１０を上方から覆うように、当該収容器３００の周縁部３３０上に載せられている。本実施形態では、仕切板４００は、底板３００ａと同様の略矩形状をなしている。また、本実施形態では、仕切板４００は、ステンレス鋼材によって形成されている。
【００５１】
仕切板４００は、図６〜図８に示すように、中央部４１０と、窪部４２０と、外周部４３０と、を有している。
【００５２】
中央部４１０は、仕切板４００のうち電気ユニット２００における電源７および報知ブザー９が載せられた部位である。なお、中央部４１０には、前記電源７および報知ブザー９の他にも、例えば温度センサ５２の閾値アンプ等の種々の部材が載せられる。
【００５３】
窪部４２０は、仕切板４００のうち収容室３１０側に窪んだ部位であって、中央部４１０を取り囲んでいる。
【００５４】
外周部４３０は、仕切板４００のうち中央部４１０および窪部４２０を取り囲んだ部位である。外周部４３０は、上面視において開口３２０の全体を取り囲むように配置されており、収容器３００の周縁部３３０に載せられている。これにより、開口３２０の全体は、仕切板４００の中央部４１０および窪部４２０に覆われている。
【００５５】
仕切板４００の全体は、平面視において周縁部３３０の外縁３３３よりも内側に収まっている。具体的に、仕切板４００における外周部４３０の外縁４３２は、図８に示すように、周縁部３３０の外縁３３３よりも開口３２０側に位置している。これにより、外周部４３０の外縁４３２は、周縁部３３０と接している。
【００５６】
カバー部材５００は、覆部５１０と、対向部５２０と、を有している。
【００５７】
覆部５１０は、カバー部材５００のうち電気ユニット２００を上方から覆う部位である。覆部５１０は、操作窓５１１を有している。操作窓５１１は、覆部５１０の内部と外部とを連通する窓である。電気ユニット２００における操作板８は、当該操作板８が操作窓５１１から露出するようにカバー部材５００の内側に取り付けられている。また、電気ユニット２００における制御基板６は、操作板８と重なるように当該操作板８の下方に取り付けられている。これにより、操作板８および制御基板６は、仕切板４００上に配置されている。
【００５８】
対向部５２０は、カバー部材５００のうち仕切板４００を挟んで収容器３００の周縁部３３０に対向する部位である。対向部５２０は、覆部５１０の下端から仕切板４００の平面方向に沿ってカバー部材５００の内側に延びるように設けられている。対向部５２０は、仕切板４００の外周部４３０に載せられている。これにより、仕切板４００の外周部４３０は、収容器３００の周縁部３３０とカバー部材５００の対向部５２０との間に挟み込まれている。
【００５９】
対向部５２０の外縁５２２は、当該対向部５２０と覆部５１０との連結部分である。仕切板４００の全体は、平面視において対向部５２０の外縁５２２よりも内側に収まっている。具体的に、外周部４３０の外縁４３２は、図８に示すように、対向部５２０の外縁５２２よりも開口３２０側に位置している。これにより、外周部４３０の外縁４３２は、対向部５２０と接している。
【００６０】
一方、対向部５２０の内縁５２３は、仕切板４００の窪部４２０上に位置している。これにより、窪部４２０の一部は、対向部５２０に覆われている。
【００６１】
ここで、炭酸泉供給装置Ｘ１は、パッキン６００と、複数のナット７００およびボルト８００と、をさらに備えている。
【００６２】
パッキン６００は、窪部４２０に収容されており、これにより当該パッキン６００が上面視において仕切板４００の中央部４１０を取り囲んで配置されている。パッキン６００は、図８に示すように、窪部４２０の上方に位置する対向部５２０に接触する接触部６１０を有している。接触部６１０は、対向部５２０によって上方から押し付けられるようにして窪部４２０に収容されており、これにより接触部６１０から対向部５２０に反発力が加わっている。このため、炭酸泉供給装置Ｘ１の外部から仕切板４００の外周部４３０とカバー部材５００の対向部５２０との間を介してカバー部材５００内部に水分が浸入することを防止できる。
【００６３】
ナット７００およびボルト８００は、収容器３００とカバー部材５００とを固定する固定部材である。収容器３００の周縁部３３０とカバー部材５００の対向部５２０とは、仕切板４００の平面方向に直交する方向において互いに近づくように、ナット７００およびボルト８００によって固定されている。
【００６４】
具体的に、図３，７，８に示すように、側壁３００ｂには、当該側壁３００ｂを仕切板４００の平面方向と直交する方向に貫くように複数のボルト孔３３１が設けられている。具体的に、ボルト孔３３１は、底板３００ａ側に位置する側壁３００ｂの下面と、周縁部３３０となる側壁３００ｂの上面と、を貫通するように側壁３００ｂに設けられている。本実施形態では、ボルト孔３３１は、側壁３００ｂのうち底板３００ａの長辺方向において互いに対向する部位にそれぞれ２つずつ設けられており、側壁３００ｂのうち底板３００ａの短辺方向において互いに対向する部位にそれぞれ３つずつ設けられている。なお、本実施形態では、側壁３００ｂのうち底板３００ａの短辺方向において互いに対向する部位のそれぞれに設けられた３つのボルト孔３３１のうち隣り合うボルト孔３３１の間には、位置合わせに用いられる位置合わせ孔３３２が設けられている。
【００６５】
また、仕切板４００の外周部４３０には、複数の貫通孔４３１が設けられている。各貫通孔４３１は、各ボルト孔３３１に重なる位置に設けられている。貫通孔４３１は、図８に示すように、ボルト孔３３１に連通している。
【００６６】
また、カバー部材５００の対向部５２０には、複数の貫通孔５２１が設けられている。各貫通孔５２１は、各貫通孔４３１に重なる位置に設けられている。貫通孔５２１は、図８に示すように、貫通孔４３１を通じてボルト孔３３１に連通している。
【００６７】
ここで、対向部５２０のうち、仕切板４００の外周部４３０に接する面とは反対側の面には、複数のナット７００が取り付けられている。各ナット７００は各貫通孔５２１と同軸上に配置されるように対向部５２０に取り付けられている。ナット７００は、図８に示すように、貫通孔５２１，４３１を通じてボルト孔３３１に連通している。
【００６８】
各ボルト８００は、各ボルト孔３３１内に挿入されている。ボルト８００は、貫通孔４３１，５２１を通じて下方からナット７００に挿入されており、当該ナット７００と係合している。これにより、収容器３００の周縁部３３０とカバー部材５００の対向部５２０とは、互いに近づくように力を加えられた状態で固定されている。また、仕切板４０は、当該仕切板４００の外周部４３０が周縁部３３０と対向部５２０との間に挟み込まれることにより、周縁部３３０とカバー部材５００との間に固定されている。
【００６９】
以上のような炭酸泉供給装置Ｘ１では、仕切板４００上に電気ユニット２００が配置された簡易な構造によって、電気ユニット２００が炭酸泉に接触することを抑止できる。具体的に、炭酸泉供給装置Ｘ１では、流路ユニット１００を収容した収容器３００における周縁部３３０上に仕切板４００が載せられており、当該仕切板４００が収容室３１０を上方に開放する開口３２０の全体を覆っている。このため、例えば流路ユニット１００における生成部２に破損が生じ収容室３１０内において炭酸泉が漏れ出した場合、当該炭酸泉は、収容器３００の周縁部３３０と仕切板４００の外周部４３０との間から仕切板４００の平面方向に沿って収容室３１０の外部へ漏れ出すことになる。このため、収容室３１０内において生成部２から炭酸泉が漏れ出したとしても、当該炭酸泉が仕切板４００上に達することを抑止できる。そのため、仕切板４００上に配置された電気ユニット２００が炭酸泉に接触することを抑止できる。
【００７０】
さらに、炭酸泉供給装置Ｘ１では、電気ユニット２００がカバー部材５００の覆部５１０に覆われているため、例えば炭酸泉供給装置Ｘ１の外部において発生した雨水等の水分が電気ユニット２００に接触することを抑止できる。
【００７１】
さらに、炭酸泉供給装置Ｘ１では、収容器３００の周縁部３３０上に仕切板４００の外周部４３０が載せられているとともに、当該外周部４３０上にカバー部材５００の対向部５２０が載せられているため、収容室３１０内において生成部２から炭酸泉が漏れ出した場合に、当該炭酸泉を収容室３１０の外部へ放出させつつカバー部材５００内への水分の浸入を抑止できる。具体的に、収容室３１０内において生成部２から炭酸泉が漏れ出した場合、収容室３１０内の圧力が高まることにより、仕切板４００は、上方に押し上げられることになる。これにより、パッキン６００の接触部６１０がカバー部材５００の対向部５２０に強く押し付けられるとともに、仕切板４００の外周部４３０と収容器３００の周縁部３３０との間に隙間が生じる。このため、外周部４３０と周縁部３３０との間の隙間から収容室３１０内において漏れ出した炭酸泉を収容室３１０の外部へ放出しつつ、外周部４３０と対向部５２０との間からカバー部材５００内へ水分が浸入することを抑止できる。
【００７２】
特に、本実施形態では、仕切板４００が弾性係数の比較的小さいステンレス鋼材により形成されており、当該仕切板４００が周方向において互いに離間する複数のナット７００およびボルト８００によって収容器３００およびカバー部材５００に固定されているため、収容室３１０内の圧力が高くなることによって仕切板４００が上方に押し上げられやすい。
【００７３】
さらに、炭酸泉供給装置Ｘ１では、収容器３００の周縁部３３０とカバー部材５００の対向部５２０とが仕切板４００の外周部４３０を挟んで互いに近づくように力を加えられた状態で固定されている。このため、周縁部３３０と外周部４３０との間から収容室３１０へと水分が浸入することを抑止できるとともに、外周部４３０と対向部５２０との間からカバー部材５００内へと水分が浸入することを抑止できる。
【００７４】
さらに、炭酸泉供給装置Ｘ１では、仕切板４００の全体が平面視において周縁部３３０の外縁３３３および対向部５２０の外縁５２２よりも内側に収まっている。このため、例えば炭酸泉供給装置Ｘ１を持ち運ぶ際に、仕切板４００の外縁４３２によって運搬者の手が傷付くことを抑止できる。また、炭酸泉供給装置Ｘ１の使用者から仕切板４００の外縁４３２が視認されることを抑止でき、これにより当該炭酸泉供給装置Ｘ１の意匠性の低下を防止できる。
【００７５】
さらに、炭酸泉供給装置Ｘ１では、側壁３００ｂの第１貫通穴３００ｃを通じて収容室３１０外に位置する水配管３１の一端部３１ａから当該水配管３１に対して水を供給することができるとともに、側壁３００ｂの第２貫通穴３００ｄを通じて収容室３１０外に位置するガス配管４１の一端部４１ａから当該ガス配管４１に対して炭酸ガスを供給することができる。このため、水および炭酸ガスがカバー部材５００内における仕切板４００上の領域を通過する必要がない。このため、仕切板４００上に配置された電気ユニット２００に水あるいは炭酸泉が接触することを抑止できる。
【００７６】
以上説明した本実施形態は、すべての点で例示であって制限的なものではないと考えられるべきである。本発明の範囲は、上記の実施形態の説明ではなく特許請求の範囲によって示され、さらに特許請求の範囲と均等の意味および範囲内でのすべての変更が含まれる。
【符号の説明】
【００７７】
Ｘ１            炭酸泉供給装置
２              生成部
３              水回路
４              ガス回路
１００          流路ユニット
２００          電気ユニット
３００          収容器
３００ｂ        側壁
３００ｃ        第１貫通孔（貫通孔）
３００ｄ        第２貫通孔（貫通孔）
３１０          収容室
３２０          開口
３３０          周縁部
３３３          周縁部の外縁
４００          仕切板
４３２          仕切板の外縁
５００          カバー部材
５２０          対向部
５２２          対向部の外縁
７００，８００  ナット，ボルト（固定部材）
【図１】
2016028660.tif 000003
【図２】
2016028660.tif 000004
【図３】
2016028660.tif 000005
【図４】
2016028660.tif 000006
【図５】
2016028660.tif 000007
【図６】
2016028660.tif 000008
【図７】
2016028660.tif 000009
【図８】
2016028660.tif 000010